(57)【特許請求の範囲】
【請求項１】
籠を載置可能な天板と、床面上を移動自在にするためのキャスターを備えた底板と、天板と底板との間に形成され籠を出し入れ自在な収納空間とを有し、前記天板の一部に切欠が形成され、当該切欠によって形成される前記収納空間に通ずる開口部が、前記収納空間に収納した状態の籠内へ外部から洗濯物を投入できる大きさに設定されていることを特徴とする籠付きワゴン。
【請求項２】
籠を載置可能な天板と、床面上を移動自在にするためのキャスターを備えた底板と、天板と底板との間に形成され籠を出し入れ自在な収納空間とを有し、前記天板を前記底板より小面積とすると共に側板を台形状とし、籠を前記収納空間に収納したときに、当該籠の上側の開口部であって前記天板によって覆われない部分が、前記収納空間に収納した状態の籠内へ外部から洗濯物を投入できる大きさに設定されていることを特徴とする籠付きワゴン。
【発明の詳細な説明】
【０００１】
【発明の属する技術分野】
本発明は、洗濯物等を入れる籠を組み込んだワゴンに関する。
【０００２】
【従来の技術】
一般家庭において洗濯機で洗濯をする場合、衣服等の洗濯物を入れた籠を洗濯機の傍の床上に置き、籠内から衣服を取り出して洗濯機内へ投入するという作業を行っている。また洗濯を終えた洗濯物を、バルコニーや物干場へ運ぶため、洗濯機から取り出して上記籠に移し代えることもある。
【０００３】
【発明が解決しようとする課題】
従来、洗濯をするため、洗濯機の傍の床上に置いた籠から衣服を取り出し、洗濯機内へ投入する際には、多少なりとも腰を折り曲げたり身体をかがめたりしなくてはならないので、作業姿勢が悪いという問題があった。特に、洗濯機へ投入する前に衣服を仕分けする必要があるときは、腰をかがめたままでの作業となるため苦痛となる場合がある。また洗濯の終了後、衣服を洗濯機から取り出して、床上に置いた籠内へ移し代える作業を行う際にも、同様の問題を呈している。また、洗濯物を入れた籠を、洗濯機の傍に置いたまま放置することもあるが、この場合は、外から籠の中身が見えるため見栄えを悪くするという問題を生じさせている。
【０００４】
【課題を解決するための手段】
本発明は、前記従来の課題に鑑み創案されたものであって、籠に入れた衣服を洗濯機内へ投入する作業、及び、洗濯の終了した衣服を洗濯機から籠内へ移す作業を適正な姿勢で行うことができ、また、洗濯物を籠に入れたまま放置しても見栄えが悪くならないようにできる籠付きワゴンを提供するものである。本発明の請求項１に係る籠付きワゴンの特徴とするところは、籠を載置可能な天板と、床面上を移動自在にするためのキャスターを備えた底板と、天板と底板との間に形成され籠を出し入れ自在な収納空間とを有し、前記天板の一部に切欠が形成され、当該切欠によって形成される前記収納空間通ずる開口部が、前記収納空間に収納した状態の籠内へ外部から洗濯物を投入できる大きさに設定されていることにある。また本発明の請求項２に係る籠付きワゴンの特徴とするところは、籠を載置可能な天板と、床面上を移動自在にするためのキャスターを備えた底板と、天板と底板との間に形成され籠を出し入れ自在な収納空間とを有し、前記天板を前記底板より小面積とすると共に側板を台形状とし、籠を前記収納空間に収納したときに、当該籠の上側の開口部であって前記天板によって覆われない部分が、前記収納空間に収納した状態の籠内へ外部から洗濯物を投入できる大きさに設定されていることにある。
【０００５】
前記の如く構成された本発明の籠付きワゴンによれば、洗濯物を籠から洗濯機内へ投入する際、及び、洗濯の済んだ洗濯物を洗濯機から籠内へ移す際には、天板上に籠を載置することにより、上記作業時に腰を折り曲げたり身体をかがめたりする必要がなくなるので、適正な作業姿勢を保つことができる。洗濯を行わないときは、収納空間内へ籠を収納しておくことにより、洗濯の必要な衣服等を籠に入れたまま放置しても、容易には中身が見えなくなるから、見栄えがそれほど悪くなることがない。底板にキャスターを備えたので、当該ワゴンを所望する位置へ容易に移動させることができる。収納空間に通ずる開口部を、当該収納空間に収納した状態の籠内へ外部から洗濯物を投入できる大きさに設定したので、籠を収納空間から引き出さなくても、脱衣した衣服等の洗濯物を容易に籠内へ投入することができる。
【０００６】
【発明の実施の形態】
〔第１の実施形態〕
図１は、本発明に係る籠付きワゴン１の一例を示すものであって、全体がほぼ直方体状に形成され、天板２，底板３及び側板４からなり、天板２と底板３との間に、洗濯物等を入れる籠１０を収納するための収納空間５が形成されている。なお本例では、収納空間５の二方から挟むよう側板４，４を対向するように設けてある。底板３にはキャスター６（図２参照）が設けられ、ワゴン１を床上で自在に移動できるようなされている。また一方の側板４には、把手７を取り付けてもよい。本例の籠付きワゴン１は、天板２の一部に切欠２ａを形成したものである。これにより、天板２と籠１０との間に十分な隙間がない場合でも、収納空間５に籠１０を収納したままの状態で、切欠２ａにより形成される開口部分から籠１０内へ、洗濯物を容易に投入することができる。依って本例では、高さ寸法の大きい籠１０を使用することが可能となる。なお切欠２ａの範囲は、天板２上に籠１０を載置したときの安定性を妨げない程度とする。
【０００７】
前記ワゴン１の大きさは、使用環境に応じて適宜決めればよく、洗濯機Ｓの傍に配置した状態を表わす図２に示す如く、例えば高さ寸法ｈは洗濯機Ｓの半分程度、奥行き寸法ｄは洗濯機Ｓの奥行き寸法より若干短く設定される。なおワゴン１の間口寸法ｗは任意である。他方、籠１０は、その全体を、ワゴン１の収納空間５に対し容易に出し入れできる寸法に設定される。
【０００８】
前記の如く構成した本発明に係る籠付きワゴン１は、洗濯をするときに、図２に示す如く洗濯機Ｓの傍に配置し、図中に二点鎖線で仮想的に示すように、洗濯物が入った籠１０をワゴン１の天板２上に載置する。これにより、籠１０の位置が床よりも十分に高い位置となるから、籠１０内の洗濯物を洗濯機Ｓに投入する作業、及び、洗濯終了後に洗濯機Ｓ内から洗濯物を籠１０に移し代える作業を、腰をかがめずに行うことができる。とりわけ、洗濯機に投入する前に衣服等を籠１０内で仕分けすることが必要な場合に、この作業を楽な姿勢で行えるので利点が大きい。
【０００９】
洗濯を行わないときは、籠１０をワゴン１の収納空間５内に収納せしめる。これにより、籠１０内に洗濯物が入ったままの状態で放置しても、天板２及び側板４により中身が簡単には見えなくなるから、見栄えを損なうことがない。また本発明のワゴン１は、天板２の一部に切欠２ａを形成したものであるから、籠１０を引き出さなくても、洗濯物を籠１０内へ投入することができる。
【００１１】
〔第２の実施形態〕
図３に示す如く、ワゴン１において天板２を底板３より小面積とすると共に側板４を台形状とし、籠１０には上側の開口部の面積が、天板２より大きいものを使用してもよい。かかる構成により、籠１０を収納空間５に収納したときに、籠１０の上方が天板２によって覆われない部分が生ずる。従って本例では、籠１０を収納空間５に収納した状態で、上記の天板２に覆われない部分から洗濯物等を籠１０内へ投入することが可能である。
【００１２】
【発明の効果】
本発明に係る籠付きワゴンは、これを洗濯機等の傍に配置し、洗濯時には籠を天板上に載置することにより籠の高さ位置を適正にすることができる。依って、洗濯物を籠から洗濯機内へ投入する作業、及び、洗濯を終えた洗濯物を洗濯機から籠内へ移し代える作業を、腰をかがめずに行えるので作業性が向上する。洗濯を行わないときは、籠をワゴンの収納空間に収納することにより、籠の中身が見えにくくなるので、洗濯物をいれたまま放置しても、見栄えが悪くなることがない。さらに、籠の上方に開口部が形成されるので、籠を収納空間から引き出さなくとも、洗濯物等を籠内へ投入することが可能である。
【図面の簡単な説明】
【図１】  本発明に係る籠付きワゴンの第１の実施形態を示す斜視図である。
【図２】  本発明に係る籠付きワゴンの第１の実施形態を示すものであって、洗濯機の傍に配置し、籠を分離して示す斜視図である。
【図３】  本発明に係る籠付きワゴンの第２の実施形態を示す斜視図である。
【図１】
0003785592.tif 000002
【図２】
0003785592.tif 000003
【図３】
0003785592.tif 000004